(57)【特許請求の範囲】
【請求項１】
光ケーブルを接続するための光ケーブル接続手段と、信号線を接続するための信号線接続手段と、前記光ケーブル接続手段を介して入力された光信号を電気信号に変換して前記信号線接続手段に出力する光電変換手段とを、筐体に収容して構成された光受信機であって、
前記筐体の少なくとも一部を、当該光受信機を設置するための設置面に埋め込み固定するための固定手段を備え、
前記筐体には、第１の回路基板と、前記第１の回路基板の平面形状よりも小さい平面形状にて形成された第２の回路基板とを収容し、
前記第１の回路基板を、前記筐体の露出面側の面に対して略平行となるように配置し、
前記第２の回路基板を、前記第１の回路基板に対して略直交すると共に、前記第１の回路基板から前記筐体の非露出面側に向けて突出するように配置し、
前記光ケーブルから出力された光信号を受信する光信号受信素子であって、前記第２の回路基板の突出方向の長さよりも長尺な光信号受信素子を、前記光ケーブル接続手段に接続し、
前記光信号受信素子の長手方向が前記第１の回路基板に対して略平行となるように、当該光信号受信素子を、前記第１の回路基板及び前記第２の回路基板の近接面間に形成された対向スペースに配置し、
前記光ケーブル接続手段の接続口が前記筐体の非露出面側の面の一部における下面から外部に露出するように、当該光ケーブル接続手段を前記光信号受信素子を介して前記第２の回路基板に接続したこと、
を特徴とする埋め込み型光受信機。
【請求項２】
当該光受信機に対して電力を供給するための電力線を接続する電源線接続手段を、前記第１の回路基板に設け、
前記電源線接続手段の接続口が前記筐体の露出面側の面から外部に露出する位置に、当該電源線接続手段を配置したこと、
を特徴とする請求項１に記載の埋め込み型光受信機。
【発明の詳細な説明】
【技術分野】
【０００１】
本発明は、光信号を受信して電気信号に変換する光受信機に関する。
【背景技術】
【０００２】
近年のインターネットの拡大による情報流通量の急速な増加に対応して、光ファイバを使った家庭向けのデータ通信サービスであるＦＴＴＨ（Fiber To The Home）が一般家庭に急速に普及しつつある。このＦＴＴＨにおいては、光ファイバを包含した光ケーブルが、屋外用光受信機を介して一般家屋等の屋内に引き込まれ、この屋内に設置された屋内用光受信機（ＯＮＵ：Optical Network Unit）に接続される。そして、この屋内用光受信機を介して中継された通信データが、家庭内のパソコンやＴＶ等の各機器に伝送される（例えば特許文献１参照）。
【０００３】
このような光受信機としては、一般家庭等の屋外壁面に取付けられる屋外用光受信機と、一般家庭等の屋内の床面や壁面に設置される屋内用光受信機とがある。このうち、従来の屋内用光受信機は、ＴＶ受像用のセットトップボックス等と同様に、屋内空間に露出して配置されることを前提に設計されており、単に箱状の筐体の内部に電気素子を収容することによって構成されていた。そして、従来は、この筐体を、屋内の壁面に室内側からネジ止め等にて取付けたり、屋内の床面上に載置していた。
【先行技術文献】
【特許文献】
【０００４】
【特許文献１】特開２００５−０２５０９４号公報
【発明の概要】
【発明が解決しようとする課題】
【０００５】
しかしながら、このような従来の屋内用光受信機は、屋内空間に完全に露出する状態で配置されていたので、屋内用光受信機の設置スペースを室内に確保する必要があったり、この屋内用光受信機が、利用者の邪魔になったり、子供等のいたずらの対象になったり、あるいは、室内の美観を損ねるという問題があった。
【０００６】
本発明は、上記に鑑みてなされたものであって、屋内空間への露出部分を低減することができる埋め込み型光受信機を提供することを目的とする。
【課題を解決するための手段】
【０００７】
上述した課題を解決し、目的を達成するために、請求項１に記載の本発明は、光ケーブルを接続するための光ケーブル接続手段と、信号線を接続するための信号線接続手段と、前記光ケーブル接続手段を介して入力された光信号を電気信号に変換して前記信号線接続手段に出力する光電変換手段とを、筐体に収容して構成された光受信機であって、前記筐体の少なくとも一部を、当該光受信機を設置するための設置面に埋め込み固定するための固定手段を備え、前記筐体には、第１の回路基板と、前記第１の回路基板の平面形状よりも小さい平面形状にて形成された第２の回路基板とを収容し、前記第１の回路基板を、前記筐体の露出面側の面に対して略平行となるように配置し、前記第２の回路基板を、前記第１の回路基板に対して略直交すると共に、前記第１の回路基板から前記筐体の非露出面側に向けて突出するように配置し、前記光ケーブルから出力された光信号を受信する光信号受信素子であって、前記第２の回路基板の突出方向の長さよりも長尺な光信号受信素子を、前記光ケーブル接続手段に接続し、前記光信号受信素子の長手方向が前記第１の回路基板に対して略平行となるように、当該光信号受信素子を、前記第１の回路基板及び前記第２の回路基板の近接面間に形成された対向スペースに配置し、前記光ケーブル接続手段の接続口が前記筐体の非露出面側の面の一部における下面から外部に露出するように、当該光ケーブル接続手段を前記光信号受信素子を介して前記第２の回路基板に接続したことを特徴とする。
請求項２に記載の本発明は、請求項１に記載の本発明において、当該光受信機に対して電力を供給するための電力線を接続する電源線接続手段を、前記第１の回路基板に設け、前記電源線接続手段の接続口が前記筐体の露出面側の面から外部に露出する位置に、当該電源線接続手段を配置したことを特徴とする。
【発明の効果】
【０００８】
請求項１に記載の本発明によれば、光受信機を壁面等の各種の設置面に埋め込み固定することができ、光受信機のうち、ユーザのアクセスが不要な部分を設置面の奥に収容できるので、光受信機を屋内に設置した場合においても、この光受信機の設置スペースを室内に確保する必要がなくなり、さらには、光受信機が、利用者の邪魔になったり、子供等のいたずらの対象になったり、あるいは、室内の美観を損ねることを防止できる。
また、この発明によれば、光信号受信素子を第１の回路基板や第２の回路基板に直接的に差し込むことでノイズを低減できると共に、その対向スペースに光信号受信素子を収容することで筐体を小型化することができる。
【図面の簡単な説明】
【０００９】
【図１】本発明の実施の形態１に係る光受信機の全体斜視図である。
【図２】図２は光受信機を示す図であって、（ａ）は正面図、（ｂ）は側面図、（ｃ）は平面図、（ｄ）は底面図、（ｅ）は（ａ）のＡ−Ａ矢視断面図である。
【図３】光受信機の背面図である。
【図４】光受信機の分解斜視図である。
【図５】光受信機に対する各種ケーブルの接続状態を示す斜視図である。
【図６】光受信機をその取付け器具と共に壁面に取付けた状態の側面図である。
【図７】光受信機とその取付け器具の分解斜視図である。
【図８】実施の形態２に係る光受信機の前面側から見た全体斜視図である。
【図９】光受信機の後面側から見た全体斜視図である。
【図１０】光受信機を示す図であって、（ａ）は後面図、（ｂ）は底面図、（ｃ）は側面図である。
【図１１】光受信機から余長処理部を取り外した状態を示す分解斜視図である。
【図１２】余長処理部を示す図であって、（ａ）は後面図、（ｂ）は平面図、（ｃ）は側面図、（ｄ）は前面図である。
【図１３】余長処理部を前面側から見た斜視図である。
【図１４】実施の形態３に係る光受信ユニットを取り付け器具と共に示す全体斜視図である。
【図１５】光受信ユニットを取り付け器具と共に示す図であって、（ａ）は正面図、（ｂ）は側面図、（ｃ）は底面図である。
【図１６】光受信ユニットを取り付け器具と共に示す背面図である。
【図１７】電源アダプタを示す図であって、（ａ）は正面図、（ｂ）は側面図、（ｃ）は底面図、（ｄ）は背面図である。
【図１８】光受信ユニットとその取付け器具の分解斜視図である。
【図１９】実施の形態４に係る光受信ユニットを取り付け器具と共に示す正面図である。
【図２０】電源アダプタを示す図であって、（ａ）は正面図、（ｂ）は側面図、（ｃ）は底面図、（ｄ）は背面図である。
【発明を実施するための形態】
【００１０】
以下に添付図面を参照して、この発明に係る埋め込み型光受信機（以下、単に光受信機）及び埋め込み型光受信ユニットの各実施の形態を詳細に説明する。まず、〔I〕各実施の形態に共通の基本的概念を説明した後、〔II〕各実施の形態の具体的内容について説明し、〔III〕最後に、各実施の形態に対する変形例について説明する。ただし、これら各実施の形態によって本発明が限定されるものではない。
【００１１】
〔I〕各実施の形態に共通の基本的概念
まず、各実施の形態に共通の基本的概念について説明する。各実施の形態は、概略的に光受信機及び光受信ユニットに関するものである。光受信機は、従来の屋内用光受信機と同様に、屋外から引き込まれた光ケーブル及び屋内に引き出される信号線に接続され、光ケーブルから伝送された光信号を電気信号に変換して信号線に出力する。信号線の具体的種類は任意であるが、以下では、代表的な信号線である同軸ケーブルを例とって説明する。
【００１２】
ここで、光受信機の特徴の一つは、この光受信機を構成する筐体の少なくとも一部を、壁面（主として屋内壁面）に埋め込み固定するための固定手段を備えた埋め込み型光受信機として構成されていることにある。すなわち、埋め込み型の固定構造を光受信機に採用することで、光受信機のうち屋内空間に露出する部分が著しく低減し、光受信機が利用者の邪魔になることがなく、また光受信機が子供等のいたずらの対象になることもなく、さらには、光受信機によって室内の美観が損なわれることもない。このように光受信機を埋め込み構造とすること自体が従来技術には見られない新規なものであるが、各実施の形態ではさらに、このような埋め込み構造を採用するに際して発生し得る様々な新規な課題を解消することで、光受信機の利便性や信頼性を向上する等のさらなる効果を得ることができる。
【００１３】
〔II〕各実施の形態の具体的内容
以下に添付図面を参照して、実施の形態１〜４の具体的内容について順次詳細に説明する。
【００１４】
〔実施の形態１〕
まず、本発明に係る実施の形態１の具体的内容について詳細に説明する。この実施の形態１は、露出面に信号線接続手段と電源線接続手段とを設け、非露出面に光ケーブル接続手段を設けた形態である。
【００１５】
（光受信機の構成）
最初に、光受信機の構成を説明する。図１は本実施の形態１に係る光受信機の全体斜視図、図２は光受信機を示す図であって、（ａ）は正面図、（ｂ）は側面図、（ｃ）は平面図、（ｄ）は底面図、（ｅ）は（ａ）のＡ−Ａ矢視断面図、図３は光受信機の背面図、図４は光受信機の分解斜視図である。なお、以下の説明では、図１のＸ方向を前後方向、Ｙ方向を左右方向、Ｚ方向を上下方向とする。この光受信機１は、筐体１０の前面（正面）に同軸端子２０及び電源端子３０を有し、筐体１０の後面（背面）に光コネクタ４０を有し、さらに筐体１０の内部に光電変換回路５０及び回路基板６０を収容して構成されている。
【００１６】
筐体１０は、図４に示すように、筐体本体１１と、この筐体本体１１の後面に取り付けられた後面プレート１２とを備えて構成されている。筐体本体１１は、後面を開放状とした中空箱状に形成され、この筐体本体１１の内部空間に、回路基板６０及び光電変換回路５０を収容することができる。この筐体本体１１の前面は、略平面状に形成されており、その上部には同軸端子２０、下部には電源端子３０がそれぞれ配置されている。この筐体本体１１の前面にはフロントカバー１３が配置されており、このフロントカバー１３は、その左右に形成された係止爪１３ａを筐体本体１１に係脱自在に係止させることで、この筐体本体１１に着脱自在に取り付けられている。このフロントカバー１３には、孔部１３ｂ〜１３ｅが形成されており、これら孔部１３ｂ〜１３ｅを介して同軸端子２０、電源端子３０、及び、後述する電源灯１４と光入力灯１５が室内空間に露出する。また、筐体本体１１の両側面の上下には、後述する取り付けアダプタを着脱自在に係止させるためのもので、上下方向に沿って延びる直線状の取り付け溝１１ａが一体形成されている。
【００１７】
また、図１、２、４に示すように、光受信機１の筐体１０の前面には、電源灯１４が設けられている。この電源灯１４は、光受信機１に対する電力の供給状態に関する表示を行うもので、特許請求の範囲における電源表示手段に対応する。この電源灯１４は、具体的にはＬＥＤ（Light Emitting Diode）にて構成されており、光受信機１の電力供給系統から分圧された図示しない分圧回路に接続され、光受信機１に所定電圧以上の電力が供給されている場合に点灯する。従って、ユーザは、この電源灯１４を目視することで、光受信機１に対する電力の供給状態を容易に確認できる。
【００１８】
また、光受信機１の筐体１０の前面における電源灯１４の側方には、光入力灯１５が設けられている。この光入力灯１５は、光受信機１に対する光信号の入力状態に関する表示を行うもので、特許請求の範囲における光信号入力表示手段に対応する。この光入力灯１５は、具体的にはＬＥＤにて構成されており、光電変換回路５０に対する電気信号の入力系統から分圧された図示しない分圧回路に接続され、光電変換回路５０に所定電圧以上の信号が入力されている場合に点灯する。従って、ユーザは、この光入力灯１５を目視することで、光受信機１に対する光信号の入力状態を容易に確認できる。
【００１９】
図５には光受信機１に対する各種ケーブルの接続状態を示す。光受信機１の筐体１０の前面には、コネクタフック１６が設けられている。このコネクタフック１６は、筐体１０の前面の電源端子３０に接続された電源線としての電源ケーブルＣ１を固定する固定手段である。具体的には、コネクタフック１６は、フロントカバー１３に一体に形成されたもので、このフロントカバー１３から前方に向けて平面略Ｊ字形状に突出する。この図５に示すように、電源ケーブルＣ１の電源コネクタＣ１ａを、コネクタフック１６の内部に係止固定できる。従って、電源ケーブルＣ１の取り付け状態を外観上にすっきりまとめることができると共に、この電源ケーブルＣ１が光受信機１から不用意に取り外されたり脱落したりすることを防止できる。なお具体的な係止手順としては、まず電源コネクタＣ１ａを左右方向に略沿った方向で電源端子３０に接続し、この電源コネクタＣ１ａを電源端子３０を回動軸として垂直面内で回転させることで、図５に示す係止状態にすることができる。
【００２０】
また、図３、４に示すように、後面プレート１２は、筐体本体１１に対して取り付けネジ８１ａにて着脱自在にネジ止めされるもので、この筐体本体１１の後面を閉鎖することで、筐体本体１１の内部空間を密閉して、この内部空間を電磁干渉（ＥＭＩ）を防止するための密閉空間とする。この後面プレート１２の中央近傍位置には１２ｂ孔部が形成されており、この孔部１２ｂに光コネクタ４０が挿通されることで、この光コネクタ４０が後面プレート１２から壁内空間に露出する。特に、後面プレート１２は、下方に至るにつれて前面側に近づく傾斜面として形成されており、このことによって光コネクタ４０は後面プレート１２から下方を臨む向きに配置されているので、壁内空間の埃等が光コネクタ４０に堆積することが防止されている。このように構成される筐体１０の具体的材質や製造方法は任意であるが、電磁干渉防止の観点からは電磁シールド性の高い金属にて形成されることが好ましく、例えばアルミダイキャストにて製造される。
【００２１】
この筐体１０には、図１〜４に示すように、取り付けアダプタ１７が着脱自在に取り付けられている。この取り付けアダプタ１７は、筐体１０を壁面に埋め込み固定するためのもので、特許請求の範囲における固定手段に対応する。この取り付けアダプタ１７は、筐体本体１１に係脱自在に係止する係止ステー１７ａと、壁面の屋外側に当接される固定板１７ｂとを一体に備える。係止ステー１７ａは、筐体本体１１の取り付け溝１１ａに対応する長さ及び幅にて形成されており、この取り付け溝１１ａに対して係止ステー１７ａを上方又は下方から挿通させることができる。この係止ステー１７ａの先端には係止爪１７ｃが形成されており、この係止爪１７ｃを、取り付け溝１１ａに形成された凹部１１ｂに係脱自在に係止させることで、取り付けアダプタ１７を筐体１０に固定できる。また、固定板１７ｂは、平板状に形成されると共に、複数のネジ孔１７ｄ、１７ｅを備えており、これらネジ孔１７ｄ、１７ｅを介したネジ固定により、光受信機１を後述するスイッチボックスカバーに固定できると共に、光受信機１に後述する化粧プレートベースを固定できる。
【００２２】
光コネクタ４０は、図５に示す光ケーブルＣ２を着脱自在に接続するためのもので、特許請求の範囲における光ケーブル接続手段に対応する。この光コネクタ４０の具体的構造は任意であり、例えば、ＪＩＳ５９７３にて規格化されているＦ０４形単心光ファイバＣ１コネクタ（ＳＣ型コネクタ）として構成され、いわゆるスライドロック構造によるプッシュオン形締結構造を有する。この光コネクタ４０の内部には円筒状のフォトダイオード４１が収容されている。このフォトダイオード４１は、光コネクタ４０に接続された光ケーブルＣ２から出力された光信号を受信するもので、特許請求の範囲における光信号受信素子に対応する。具体的には、この光コネクタ４０に接続された光ケーブルＣ２の芯線である図示しない光ファイバから出力される光信号が、この光コネクタ４０のフォトダイオード４１にて入射して電気信号として光電変換回路５０に入力される。
【００２３】
同軸端子２０は、同軸ケーブルＣ３を着脱自在に接続するためのもので、特許請求の範囲における信号線接続手段に対応する。この同軸端子２０の具体的構造は任意であり、例えば、同軸ケーブルＣ３の先端に取付けられたＦ雄型の同軸コネクタＣ３ａを接続するためのＦ型雌コネクタとして構成される。
【００２４】
電源端子３０は、電源ケーブルＣ１を着脱自在に接続するためのもので、特許請求の範囲における電源線接続手段に対応する。この電源端子３０の具体的構造は任意であり、例えば、電源ケーブルＣ１の先端に取付けられたＬ雄型の電源コネクタＣ１ａを接続するための雌コネクタとして構成される。
【００２５】
図２（ｅ）において、光電変換回路５０は、フォトダイオード４１から出力された電気信号をＲＦ信号に変換して同軸端子２０に出力するもので、特許請求の範囲における光電変換手段に対応する。この光電変換回路５０の具体的構成は任意であり、例えば、各種のフィルタ、変調器、及び、増幅器を用いて構成される（なお、図２（ｅ）においては便宜上、光電変換回路５０を簡略化して示す）。
【００２６】
また、回路基板６０は、光電変換回路５０を含む光受信機１の電気素子を実装するための実装基板であり、図２（ｅ）及び図４に示すように、第１の回路基板６１と第２の回路基板６２とに分割構成されている。第１の回路基板６１は、上下方向に沿って配置されている。また、第２の回路基板６２は、前後方向に沿って配置されている。すなわち、これら第１の回路基板６１と第２の回路基板６２は相互に略直交するように組み合わされており、このように組合せることによって、これら第１の回路基板６１と第２の回路基板６２との相互間には、これらが相互に近接する側に、対向スペース６３が形成される。そして、この対向スペース６３の内部に、フォトダイオード４１が上下方向に沿って配置されている。このフォトダイオード４１は、その上端の接続配線が第２の回路基板６２に挿入固定されると共に、その下端が光コネクタ４０の内部に延在して光信号を受光する。
【００２７】
このように回路基板６０を第１の回路基板６１と第２の回路基板６２とから分割構成し、これら第１の回路基板６１と第２の回路基板６２との相互間の対向スペース６３にフォトダイオード４１を配置したのは、以下の理由による。すなわち、ノイズ低減のためには、フォトダイオード４１の接続配線を極力短くし、この接続配線を回路基板６０に直接的に差し込むことが好ましい。しかしながら、この場合には回路基板６０に対してフォトダイオード４１が直交するように固定されるので、回路基板６０を単に１枚の平板として構成したのでは、これら回路基板６０及びフォトダイオード４１を収容する筐体１０が大型化してしまう。そこで、本実施の形態１では、回路基板６０を第１の回路基板６１と第２の回路基板６２とから分割構成し、これらの相互間に形成される対向スペース６３にフォトダイオード４１を配置することで、筐体１０を小型化することに成功している。ただし、このように対向スペース６３を設ける必要がない場合には、回路基板６０を１枚で構成してもよい。また対向スペース６３を設ける必要がある場合であっても、回路基板６０をフレキシブル基板から構成して略Ｌ字状に湾曲させることで、対向スペース６３を形成してフォトダイオード４１を配置でき、回路基板６０の構成を一層簡素化することができる。
【００２８】
（光受信機１の取り付け構造）
次に、このように構成された光受信機１を壁面に取り付けるための構造について説明する。図６は光受信機をその取付け器具と共に壁面に取付けた状態の側面図、図７は光受信機とその取付け器具の分解斜視図である。光受信機１を壁面Ｗに取り付けるための取り付け器具として、ここでは、スイッチボックス７０、スイッチボックスカバー７１、化粧プレートベース７２、及び、化粧プレート７３を用いている。概略的には、図６に示すように、室内空間に露出しない側（以下、非露出側）に、スイッチボックス７０及びスイッチボックスカバー７１が固定されており、このスイッチボックス７０に光受信機１の後部が収容されている。また、この壁面Ｗの両側方のうち、室内空間に露出する側（以下、露出側）に、光受信機１の前面が露出すると共に、この光受信機１の前面に化粧プレートベース７２及び化粧プレート７３が固定されている。
【００２９】
図７に示すように、スイッチボックス７０は、正面を開放状とした中空方形状に形成され、その内部に光受信機１の後部を受容可能な収容空間部を有する。このスイッチボックス７０の上側面には図示しない配線パイプが接続され、この配線パイプを介してスイッチボックス７０に光ケーブルＣ２を引き込むことができる。また、スイッチボックスカバー７１は、壁面Ｗの非露出面に当接する方形枠状部材であり、その中央の開口部７１ａを介して光受信機１をスイッチボックス７０に出し入れすることができる。このスイッチボックスカバー７１の上下の側片にはネジ孔７１ｂが設けられており（図７には上方のネジ孔７１ｂのみを示す）、このネジ孔７１ｂに挿通させた取り付けネジ７１ｃをスイッチボックス７０のネジ孔７０ａにネジ込むことにより、スイッチボックスカバー７１をスイッチボックス７０にネジ固定できる。また、スイッチボックスカバー７１の開口部７１ａの上下には、ネジ孔７１ｄが設けられており、光受信機１の取り付けアダプタ１７のネジ孔１７ｄに挿通させた取り付けネジ１７ｆを、スイッチボックスカバー７１のネジ孔７１ｄにネジ込むことによって、光受信機１をスイッチボックスカバー７１に固定できる。このように光受信機１をスイッチボックスカバー７１に固定することで、これら光受信機１の取り付けアダプタ１７とスイッチボックスカバー７１の上下左右の側片との間に壁面Ｗが挟持され、光受信機１を壁面Ｗに固定できる。
【００３０】
また、化粧プレートベース７２は、壁面Ｗの露出面に当接する方形枠状部材であり、その中央には光受信機１の筐体本体１１の正面に略対応する高さ及び幅の開口部７２ａが形成されている。この化粧プレートベース７２の上下の側片にはネジ孔７２ｂが形成されており、このネジ孔７２ｂにネジ込んだ取り付けネジ７２ｃを光受信機１の取り付けアダプタ１７のネジ孔１７ｅにネジ込むことで、化粧プレートベース７２を光受信機１に固定できる。また、化粧プレート７３は、化粧プレートベース７２に着脱自在に取り付けられる方形枠状部材であり、その中央には光受信機１の筐体本体１１の正面に略対応する高さ及び幅の開口部７３ａが形成されている。この化粧プレート７３の化粧プレートベース７２に対向する面には、図示しない係止爪が形成されており、この係止爪を化粧プレートベース７２に係脱自在に係止させることによって、化粧プレート７３を化粧プレートベース７２に着脱自在に取り付けることができる。このように化粧プレートベース７２及び化粧プレート７３を取り付けた状態において、これら化粧プレートベース７２の開口部７２ａ及び化粧プレート７３の開口部７３ａを介して、光受信機１の同軸端子２０及び電源端子３０が室内空間に露出する。これにて光受信機１の取り付けが終了する。
【００３１】
（実施の形態１の効果）
このように実施の形態１によれば、光受信機１を壁面Ｗに埋め込み固定でき、光受信機１のうち、ユーザのアクセスが不要な部分を壁面奥に収容できるので、光受信機１を屋内に設置した場合においても、この光受信機１の設置スペースを室内に確保する必要がなくなり、さらには、光受信機１が、利用者の邪魔になったり、子供等のいたずらの対象になったり、あるいは、室内の美観を損ねることを防止できる。また、光受信機１の筐体１０の前面に電源灯１４を設けたので、ユーザは、光受信機１に対する電力の供給状態を容易に確認できる。また、受信機の筐体１０の前面に光入力灯１５を設けたので、ユーザは、光受信機１に対する光信号の入力状態を容易に確認できる。また、光受信機１の筐体１０の前面にコネクタフック１６を設けたので、電源コネクタの取り付け状態を外観上にすっきりまとめることができると共に、この電源コネクタが光受信機１から不用意に取り外されたり脱落したりすることを防止できる。また、光コネクタ４０を下方向きに配置したので、壁内空間の埃等が光コネクタ４０に堆積することを防止できる。また、回路基板６０を第１の回路基板６１と第２の回路基板６２とから分割構成し、これら第１の回路基板６１と第２の回路基板６２との相互間の対向スペース６３にフォトダイオード４１を配置したので、フォトダイオード４１を回路基板６０に直接的に差し込むことでノイズを低減できると共に、筐体１０を小型化することができる。
【００３２】
〔実施の形態２〕
次に、本発明に係る実施の形態２の具体的内容について詳細に説明する。この実施の形態２は、光受信機に、光ケーブルの余長部分を処理するための余長処理部等を設けた形態である。ただし、特に説明なき構成においては実施の形態１と同様であるものとし、実施の形態１と同様の構成要素には、必要に応じて、実施の形態１で使用したものと同一の符号を付する。
【００３３】
図８は実施の形態２に係る光受信機の前面側から見た全体斜視図、図９は光受信機の後面側から見た全体斜視図、図１０は光受信機を示す図であって、（ａ）は後面図、（ｂ）は底面図、（ｃ）は側面図である。光受信機２の筐体８０の後面プレート８１は、実施の形態１とは異なり上下方向に沿って（非傾斜状に）形成されており、この後面プレート８１に余長処理部９０が取り付けられている。この余長処理部９０は、光受信機２に接続される光ケーブルＣ２の余長部分を巻き取り収容するもので、特許請求の範囲における余長処理手段に対応する。
【００３４】
図１１は光受信機から余長処理部を取り外した状態を示す分解斜視図、図１２は余長処理部を示す図であって、（ａ）は後面図、（ｂ）は平面図、（ｃ）は側面図、（ｄ）は前面図、図１３は余長処理部を前面側から見た斜視図である。この余長処理部９０は、円盤状のベース板９１と、巻き取り部９２とを一体に備えて構成されている。
【００３５】
ベース板９１は、光受信機２の後面プレート８１よりも小さな外径をなすように構成されており、この後面プレート８１に取り付けられた状態においては、この後面プレート８１の後方投影空間に余長処理部９０が略収まり、余長処理部９０が上下左右に不用意に突出するようなことがない。
【００３６】
巻き取り部９２は、ベース板９１の後面に一体に形成されたもので、円環状をなし、ベース板９１の周縁よりやや内側寄りの位置から、後方に向けて立ち上がるように形成されている。そして、この巻き取り部９２の外周に光ケーブルＣ２の余長部分を任意の回数だけ巻き付けることによって、この余長部分を収容することができる。
【００３７】
この巻き取り部９２には、４つの押さえ突起９２ａ及び一対のケーブル押さえ９３が設けられている。これら押さえ突起９２ａ及びケーブル押さえ９３は、巻き取り部９２に対する光ケーブルＣ２の挿通経路（巻き取り部９２に光ケーブルＣ２を巻き付ける際に当該光ケーブルＣ２が通過する経路）の少なくとも一部を遮るものであって、特許請求の範囲におけるケーブル押さえに対応する。
【００３８】
押さえ突起９２ａは、巻き取り部９２の周面において、上下左右に向けて突出するように形成されている。そして、この押さえ突起９２ａによって、巻き取り部９２に巻き付けられた光ケーブルＣ２が後方に向けて脱落することが防止されている。また、各ケーブル押さえ９３は、上向きＵ字形状又は下向きＵ字形状をなし、ベース板９１の周縁近傍から、巻き取り部９２の後方に至るように立ち上げられ、さらに巻き取り部９２の上下左右の略中央位置寄りに延出されている。そして、これら一対のケーブル押さえ９３によって、巻き取り部９２に巻き付けられた光ケーブルＣ２が自己反発力で上下左右に広がることが防止され、この光ケーブルＣ２が巻き取り部９２から脱落することが防止されている。
【００３９】
ここで、ケーブル押さえ９３は、弾性変形可能な材質、例えばエラストマーやポリプロピレンの如き合成樹脂にて形成されており、これらケーブル押さえ９３をその弾性力に抗して上下に押し広げることで、巻き取り部９２に光ケーブルＣ２の余長部分を巻き付けることができる。また、この巻き付け作業の終了後に、ケーブル押さえ９３を開放することで、ケーブル押さえ９３が弾性力にて自己復元して図示の位置に戻り、光ケーブルＣ２の脱落を防止する。このケーブル押さえ９３の具体的形成方法は任意であるが、特に本実施の形態２においては、ベース板９１の一部を打ち抜いて後方側に立ち上げることによってケーブル押さえ９３を形成しているので、ケーブル押さえ９３を容易に作成できる。なお、このような押さえ突起９２ａやケーブル押さえ９３の具体的構造としては、この他にも種々の構造を採用することができ、例えば公知の屋外用光受信機における余長処理部９０に用いられている構造を採用できる。
【００４０】
このように構成された余長処理部９０は、筐体８０に対して任意の構造にて取り付けることができ、例えば、ネジ止め固定や係止固定することができる。ここでは、図１１、１３に示すように、余長処理部９０のベース板９１の前面には、左右一対の円柱状の固定脚９４（特許請求の範囲における突出部に対応する）が一体形成されており、この固定脚９４を、筐体８０の後面プレート８１に設けた左右一対の固定穴８１ａ（特許請求の範囲における凹部に対応する）に挿脱自在に挿入することで、余長処理部９０を筐体８０に対して着脱自在に取り付けることができる。このように、余長処理部９０を筐体８０に対して着脱自在とすることで、光ケーブルＣ２の余長部分の巻き取り時にはこの余長処理部９０を取り外し、作業者の手元近くで巻き取り作業を行うことを可能としている。また、固定脚９４を固定穴８１ａに挿入するだけで余長処理部９０の取り付けを行なうことができるので、光ケーブルＣ２の巻き付け作業の終了後には、この余長処理部９０を工具等を使用することなく筐体８０に容易に固定できる。
【００４１】
（実施の形態２の効果）
このように実施の形態２によれば、実施の形態１と同様の効果に加えて、余長処理部９０を設けたので、光ケーブルＣ２の余長部分を収容することができる。また、押さえ突起９２ａやケーブル押さえ９３により、光ケーブルＣ２が巻き取り部９２から脱落することを防止できる。さらに、余長処理部９０を筐体８０に対して着脱自在としているので、光ケーブルＣ２の余長部分の巻き取り時にはこの余長処理部９０を取り外し、作業者の手元近くで巻き取り作業を行うことを可能としている。また、固定脚９４を固定穴８１ａに挿入するだけで余長処理部９０の取り付けを行なうことができるので、光ケーブルＣ２の巻き付け作業の終了後には、この余長処理部９０を工具等を使用することなく筐体８０に容易に固定できる。
【００４２】
〔実施の形態３〕
次に、本発明に係る実施の形態３の具体的内容について詳細に説明する。この実施の形態３は、光受信機と電源アダプタとを一体に埋め込み固定可能なようにユニット化した形態である。ただし、特に説明なき構成においては実施の形態２と同様であるものとし、実施の形態２と同様の構成要素には、必要に応じて、実施の形態２で使用したものと同一の符号を付する。
【００４３】
図１４は光受信ユニットを取り付け器具と共に示す全体斜視図、図１５は光受信ユニットを取り付け器具と共に示す図であって、（ａ）は正面図、（ｂ）は側面図、（ｃ）は底面図、図１６は光受信ユニットを取り付け器具と共に示す背面図である。この光受信ユニット３は、光受信機３Ａと、電源アダプタ３Ｂとを備えて構成されている。
【００４４】
このうち、光受信機３Ａは、基本的には実施の形態２の光受信機２と同様に構成されるが、電源端子３０が後面に配置されている点において実施の形態２とは異なる。具体的には、電源端子３０の筐体１００の底面のうち、壁面の非露出側に収容される位置に、電源端子３０が下方に向けて設けられている。このように電源端子３０を光受信機３Ａの後面に設けることで、壁面の非露出側において電源ケーブルＣ１の接続を行なうことができ、光受信ユニット３の室内側の外観を向上させることができる。
【００４５】
また、電源アダプタ３Ｂは、光受信機３Ａに対して電力を供給するためのもので、特許請求の範囲における電源手段に対応する。図１７は電源アダプタを示す図であって、（ａ）は正面図、（ｂ）は側面図、（ｃ）は底面図、（ｄ）は背面図である。電源アダプタ３Ｂは、筐体１１０の内部に図示しない変圧部を収容すると共に、この筐体１１０の後面に電源ケーブルＣ１を一体に設け、さらにこの後面に２組の電源端子１１１、１１２を設けて構成されている。変圧部は、電源端子１１１を介して供給された電力を、光受信機３Ａの仕様に適合した電圧に変換するもので、例えばトランスを備えて構成されている。
【００４６】
電源ケーブルＣ１は、電力線であり、光受信機３Ａの電源端子３０に接続可能な長さに形成され、この光受信機３Ａに着脱自在に接続される。電源端子１１１、１１２は、図示しない電源ケーブルを電源アダプタ３Ｂに接続するための接続端子であり、この電源ケーブルの芯線をネジ止め固定するためのネジ止め端子として構成されている。具体的には、電源端子１１１には、図示しない電力配線盤等から引き込まれた電源ケーブルを接続し、電源端子１１２には、任意の外部機器に至る電源ケーブルを接続する。
【００４７】
このように構成された電源アダプタ３Ｂは以下のように利用される。すなわち、図示しない電力配線盤等から引き込まれた電源ケーブルからの電力が、電源端子１１１を介して電源アダプタ３Ｂに供給される。この電力は、図示しない変圧部を介して所定電圧に変換された後、電源ケーブルＣ１及び電源端子１１１に供給される。そして、この電力を電源ケーブルＣ１を介して光受信機３Ａに供給することで、この光受信機３Ａを駆動することできる。また、この電力を電源端子１１２を介して外部機器に供給することで、この電源アダプタ３Ｂを外部機器に対する電力中継手段として利用することができる。特に、本実施の形態３においては、これら電源ケーブルＣ１や電源端子１１１、１１２を電源アダプタ３Ｂの後面に設けているので、これら電源ケーブルＣ１や電源端子１１１、１１２が室内空間に露出せず、ユーザの安全性を高めることができると共に、光受信ユニット３の室内側の外観を向上させることができる。
【００４８】
（光受信ユニット３の取り付け構造）
次に、このように構成された光受信ユニット３の壁面に対する取り付け構造について説明する。図１８は光受信ユニットとその取付け器具の分解斜視図である。概略的には、壁面の非露出側には、スイッチボックス１２０及びスイッチボックスカバー１２１が固定されており、このスイッチボックス１２０に光受信機３Ａ及び電源アダプタ３Ｂの後部が収容される。また、壁面の露出側には、光受信機３Ａの一部が露出すると共に、この光受信機３Ａの正面には化粧プレートベース１２２及び化粧プレート１２３が固定される。
【００４９】
スイッチボックス１２０は、正面を開放状とした中空方形状に形成され、その内部に光受信機３Ａ及び電源アダプタ３Ｂの後部を受容可能な収容空間部を有する。このスイッチボックス１２０の上側面には図示しない配線パイプが接続され、この配線パイプを介してスイッチボックス１２０に光ケーブルＣ２や電源ケーブルを引き込むことができる。また、スイッチボックスカバー１２１は、壁面の非露出面に当接する方形枠状部材であり、その中央の開口部１２１ａを介して光受信機３Ａ及び電源アダプタ３Ｂをスイッチボックス１２０に出し入れすることができる。このスイッチボックスカバー１２１の上下の側片にはネジ孔１２１ｂが設けられており（図１８では上方のネジ孔１２１ｂのみを図示する）、このネジ孔１２１ｂに挿通させた取り付けネジ１２１ｃをスイッチボックス１２０のネジ孔１２０ａにネジ込むことにより、スイッチボックスカバー１２１をスイッチボックス１２０にネジ固定できる。また、スイッチボックスカバー１２１の開口部１２１ａの上下には、ネジ孔１２１ｄが設けられており、光受信機３Ａのネジ孔１７ｄ及び電源アダプタ３Ｂのネジ孔１１０ａに挿通させた取り付けネジ１７ｆを、スイッチボックスカバー１２１のネジ孔１２１ｄにネジ込むことによって、光受信機３Ａ及び電源アダプタ３Ｂをスイッチボックスカバー１２１に固定できる。このように光受信機３Ａ及び電源アダプタ３Ｂをスイッチボックスカバー１２１に固定することで、これら光受信機３Ａ及び電源アダプタ３Ｂとスイッチボックスカバー１２１の上下左右の側片との間に壁面が挟持され、光受信機３Ａ及び電源アダプタ３Ｂを壁面に固定できる。
【００５０】
また、化粧プレートベース１２２は、壁面の露出面に当接する方形枠状部材であり、その中央には光受信機３Ａ及び電源アダプタ３Ｂの正面に略対応する高さ及び幅の開口部１２２ａが形成されている。この化粧プレートベース１２２の上下の側片にはネジ孔１２２ｂが形成されており、このネジ孔１２２ｂにネジ込んだ取り付けネジ１２２ｃを光受信機３Ａのネジ孔１７ｅにネジ込むことで、化粧プレートベース１２２を光受信機３Ａに固定できる。また、化粧プレート１２３は、化粧プレートベース１２２に着脱自在に取り付けられる方形枠状部材であり、その中央には、光受信機３Ａの正面に略対応する高さ及び幅の開口部１２３ａと、電源アダプタ３Ｂの正面に略対応する高さ及び幅の開口部１２３ｂが形成されている。この化粧プレート１２３の化粧プレートベース１２２に対向する面には、図示しない係止爪が形成されており、この係止爪を化粧プレートベース１２２に係脱自在に係止させることによって、化粧プレート１２３を化粧プレートベース１２２に着脱自在に取り付けることができる。このように化粧プレートベース１２２及び化粧プレート１２３を取り付けた状態において、これら化粧プレートベース１２２の開口部１２２ａ及び化粧プレート１２３の開口部１２３ａ、１２３ｂを介して、光受信機３Ａの同軸端子２０が室内空間に露出する。これにて光受信ユニット３の取り付けが終了する。
【００５１】
（実施の形態３の効果）
このように実施の形態３によれば、実施の形態１、２と同様の効果に加えて、光受信機３Ａを電源アダプタ３Ｂと共に光受信ユニット３として並設することで、光受信機３Ａに対する電力供給を簡易な構成で容易に行なうことができる。特に、電源端子や電源ケーブルＣ１を壁面奥に収容しているので、ユーザの安全性を高めることができると共に、光受信機３Ａの室内側の外観を維持することができる。また、電源端子を設けて外部機器への電力供給を可能としているので、電源アダプタ３Ｂを外部機器に対する電力中継手段として利用することができる。
【００５２】
〔実施の形態４〕
次に、本発明に係る実施の形態４の具体的内容について詳細に説明する。この実施の形態４は、実施の形態３とは異なる構造の電源アダプタを光受信機と一体に埋め込み固定した形態である。ただし、特に説明なき構成においては実施の形態１、３と同様であるものとし、実施の形態１、３と同様の構成要素には、必要に応じて、実施の形態１、３で使用したものと同一の符号を付する。
【００５３】
図１９は光受信ユニットを取り付け器具と共に示す正面図である。この光受信ユニット４は、光受信機４Ａと、電源アダプタ４Ｂとを備えて構成されている。光受信機４Ａは、実施の形態１の光受信機１と同様に構成されており、その前面に同軸端子２０及び電源端子３０を備える。
【００５４】
電源アダプタ４Ｂは、光受信機４Ａに対して電力を供給するためのもので、特許請求の範囲における電源手段に対応する。図２０は電源アダプタを示す図であって、（ａ）は正面図、（ｂ）は側面図、（ｃ）は底面図、（ｄ）は背面図である。電源アダプタ４Ｂは、筐体１３０の内部に図示しない変圧部及び分配部を収容すると共に、この筐体１３０の前面に２組の電源コネクタ１３１、１３２を設けると共に、この筐体１３０の後面に実施の形態３と同様の２組の電源端子１１１、１１２を設けて構成されている。分配部は、変圧部にて変圧された電力を２組の電源コネクタ１３１、１３２に分配供給する。
【００５５】
このように構成された電源アダプタ４Ｂは以下のように利用される。すなわち、図示しない電力配線盤等から引き込まれた電源ケーブルからの電力が、電源端子１１１を介して電源アダプタ４Ｂに供給される。この電力は、図示しない変圧部を介して所定電圧に変換された後、図示しない分配部を経て、２組の電源コネクタ１３１、１３２及び電源端子１１２に供給される。そして、２組の電源コネクタ１３１、１３２のいずれか一方と光受信機４Ａの前面の電源端子３０とを図示しない電源ケーブルにて接続することで、光受信機４Ａに電力を供給することができる。また、電源コネクタ１３２のいずれか他方には、ＴＶ受像器等の任意の外部機器を接続することで、光受信ユニット４を通常の商用電源コンセントと同様に利用できる。あるいは、変圧部にて変圧された電力を電源端子１１２を介して外部機器に供給することで、この電源アダプタ４Ｂを外部機器に対する電力中継手段として利用することができる。
【００５６】
（実施の形態４の効果）
このように実施の形態４によれば、実施の形態１、３と同様の効果に加えて、光受信機４Ａを電源アダプタ４Ｂと共に並設することで、光受信機４Ａに対する電力供給を簡易な構成で容易に行なうことができる。特に、電源コネクタ１３１、１３２の一方にＴＶ受像器等の任意の外部機器を接続できるので、光受信ユニット４を通常の商用電源コンセントと同様に利用でき、ユーザの利便性を高めることができる。
【００５７】
〔III〕各実施の形態に対する変形例
以上、本発明の各実施の形態について説明したが、本発明の具体的な構成及び手段は、特許請求の範囲に記載した各発明の技術的思想の範囲内において、任意に改変及び改良することができる。以下、このような変形例について説明する。
【００５８】
（解決しようとする課題や発明の効果について）
まず、発明が解決しようとする課題や発明の効果は、前記した内容に限定されるものではなく、本発明によって、前記に記載されていない課題を解決したり、前記に記載されていない効果を奏することもでき、また、記載されている課題の一部のみを解決したり、記載されている効果の一部のみを奏することがある。
【００５９】
（各実施の形態の関係について）
各実施の形態に示した構成は、相互に他の実施の形態に適用することができる。例えば、実施の形態３の光受信機３Ａに代えて、実施の形態１の光受信機１を用いてもよい。あるいは、実施の形態３の電源アダプタ３Ｂに代えて、実施の形態１の光受信機１を用いることで、複数の光受信機を共通の固定手段にて設置面に埋め込み可能としてもよい。
【００６０】
（各端子について）
同軸端子、電源端子、あるいは、光コネクタは、特記する場合を除いて、各実施の形態に示した位置以外の任意の位置に設けることができ、例えば、これら端子の全てを筐体の露出面側に並設してもよい。また、各端子は、各実施の形態に示した数以外の数を設けてもよく、例えば、同軸端子や光コネクタをそれぞれ複数も受けてもよい。
【産業上の利用可能性】
【００６１】
この発明は、光信号を受信して電気信号に変換する光受信機に適用でき、壁面等に光受信機を埋め込み固定することでその設置スペースを有効活用すること等に有用である。
【００６２】
（付記）
付記１に記載の本発明は、光ケーブルを接続するための光ケーブル接続手段と、信号線を接続するための信号線接続手段と、前記光ケーブル接続手段を介して入力された光信号を電気信号に変換して前記信号線接続手段に出力する光電変換手段とを、筐体に収容して構成された光受信機であって、前記筐体の少なくとも一部を、当該光受信機を設置するための設置面に埋め込み固定するための固定手段を備えること、を特徴とする。
【００６３】
付記２に記載の本発明は、付記１に記載の本発明において、前記信号線接続手段を、前記筐体の露出面側に設け、前記光ケーブル接続手段を、前記筐体の非露出面側に設けたこと、を特徴とする。
【００６４】
付記３に記載の本発明は、付記１又は２に記載の本発明において、当該光受信機を前記固定手段を介して前記設置面に固定した状態において、前記光ケーブル接続手段を、略下向きに配置すること、を特徴とする。
【００６５】
付記４に記載の本発明は、付記１から３のいずれか一項に記載の本発明において、前記筐体には、第１の回路基板と第２の回路基板とを収容し、前記光ケーブル接続手段は、前記光ケーブルから出力された光信号を受信する光信号受信素子を有し、前記第１の回路基板と前記第２の回路基板とを相互に略直交状に配置することによってこれらの近接面間に形成される対向スペースに、前記光信号受信素子を配置したこと、を特徴とする。
【００６６】
付記５に記載の本発明は、付記１又は２に記載の本発明において、前記光電変換手段に対して電力を供給するための電力線を接続する電力線接続手段、を備えることを特徴とする。
【００６７】
付記６に記載の本発明は、付記５に記載の本発明において、前記電力線接続手段を、前記筐体の非露出面側に設けたこと、を備えることを特徴とする。
【００６８】
付記７に記載の本発明は、付記１から６のいずれか一項に記載の本発明において、前記光ケーブルの余長部分を巻き取るための余長処理手段、を備えたことを特徴とする。
【００６９】
付記８に記載の本発明は、付記７に記載の本発明において、前記余長処理手段を、前記設置面における露出面側に設けたこと、を特徴とする。
【００７０】
付記９に記載の本発明は、付記８に記載の本発明において、前記余長処理手段は、前記光ケーブルの余長部分を巻き付け可能な巻き取り部と、前記巻取り部に対する前記光ケーブルの挿通経路の少なくとも一部を遮るものであって、弾性変形可能なケーブル押さえと、を備えることを特徴とする。
【００７１】
付記１０に記載の本発明は、付記８又は９に記載の本発明において、前記余長処理手段の前記筐体に対向する面には、当該筐体に向けて突出する突出部を設け、前記筐体には、前記突出部を着脱自在に挿通するための凹部を設けたこと、を特徴とする。
【００７２】
付記１１に記載の本発明は、付記１から１０のいずれか一項に記載の本発明において、前記筐体の露出面に、当該光受信機に対する電力の供給状態に関する表示を行う電源表示手段を設けたこと、を特徴とする。
【００７３】
付記１２に記載の本発明は、付記１から１１のいずれか一項に記載の本発明において、前記筐体の露出面に、当該光受信機に対する前記光信号の入力状態に関する表示を行う光信号入力表示手段を設けたこと、を特徴とする。
【００７４】
付記１３に記載の本発明は、光ケーブルを接続するための光ケーブル接続手段と、信号線を接続するための信号線接続手段と、前記光ケーブル接続手段を介して入力された光信号を電気信号に変換して前記信号線接続手段に出力する光電変換手段とを、筐体に収容して構成された光受信機と、前記光電変換手段に対して電力を供給可能な電源手段と、前記光受信機の少なくとも一部と、前記電源手段の少なくとも一部とを、当該光受信機及び当該電源手段を設置するための設置面に埋め込み固定するための固定手段と、を備えたことを特徴とする。
【００７５】
付記１４に記載の本発明は、付記１３に記載の本発明において、前記光受信機の筐体の非露出面側に、前記光電変換手段に対して電力を供給するための電力線を接続する電力線接続手段を設け、前記電源手段の筐体の非露出面側に、前記光受信機の前記電力線接続手段に対して電源線を介して前記電力を供給するための第２の電力線接続手段を設けたこと、を特徴とする。
【００７６】
付記１５に記載の本発明は、付記１３に記載の本発明において、前記光受信機の筐体の露出面側に、前記光電変換手段に対して電力を供給するための電力線を接続する電力線接続手段を設け、前記電源手段の筐体の露出面側に、前記光受信機の前記電力線接続手段に対して電源線を介して前記電力を供給するための第２の電力線接続手段を設けたこと、を特徴とする。
【００７７】
付記１６に記載の本発明は、付記１５に記載の本発明において、前記第２の電力線接続手段を、商用電源コンセントとして構成したこと、を特徴とする。
【００７８】
付記に係る発明によれば、光受信機を壁面等の各種の設置面に埋め込み固定することができ、光受信機のうち、ユーザのアクセスが不要な部分を設置面の奥に収容できるので、光受信機を屋内に設置した場合においても、この光受信機の設置スペースを室内に確保する必要がなくなり、さらには、光受信機が、利用者の邪魔になったり、子供等のいたずらの対象になったり、あるいは、室内の美観を損ねることを防止できる。
【００７９】
また、付記に係る発明によれば、信号線接続手段を筐体の露出面側に設けると共に、光ケーブル接続手段を筐体の非露出面側に設けたので、接続後に着脱する必要性が低い光ケーブルについては、ユーザの目に触れない位置で接続でき、ユーザが自ら着脱する必要性が高い信号線については、ユーザがアクセス容易な位置で接続できる。
【００８０】
また、付記に係る発明によれば、光ケーブル接続手段を略下向きに配置しているので、埃等が光ケーブル接続手段に堆積することを防止できる。
【００８１】
また、付記に係る発明によれば、光信号受信素子を第１の回路基板や第２の回路基板に直接的に差し込むことでノイズを低減できると共に、その対向スペースに光信号受信素子を収容することで筐体を小型化することができる。
【００８２】
また、付記に係る発明によれば、電力線接続手段に電力線を接続することで、光受信機に電力を容易に供給できる。
【００８３】
また、付記に係る発明によれば、電力線接続手段を筐体の非露出面側に設けたので、電力線接続手段が、子供等のいたずらの対象になったり、あるいは、室内の美観を損ねることを防止できる。
【００８４】
また、付記に係る発明によれば、余長処理手段に光ケーブルの余長部分を収容することができるので、設置面の内部において、光ケーブルを簡潔にまとめることができる。
【００８５】
また、付記に係る発明によれば、余長処理手段を設置面における露出面側に設けたので、余長処理手段やそこに巻き付けられた光ケーブルが、子供等のいたずらの対象になったり、あるいは、室内の美観を損ねることを防止できる。
【００８６】
また、付記に係る発明によれば、ケーブル押さえによって光ケーブルの挿通経路の少なくとも一部を遮ることで、光ケーブルが巻き取り部から脱落することを防止できる。
【００８７】
また、付記に係る発明によれば、余長処理手段を筐体に対して着脱自在としているので、光ケーブルの余長部分の巻き取り時にはこの余長処理手段を取り外し、作業者の手元近くで巻き取り作業を行うことができる。
【００８８】
また、付記に係る発明によれば、光受信機の筐体の露出面に電源表示手段を設けたので、ユーザは、光受信機に対する電力の供給状態を容易に確認できる。
【００８９】
また、付記に係る発明によれば、光受信機の筐体の露出面に光入力表示灯を設けたので、ユーザは、光受信機に対する光信号の入力状態を容易に確認できる。
【００９０】
また、付記に係る発明によれば、光受信機を電源手段と共に光受信ユニットとして並設することで、光受信機に対する電力供給を簡易な構成で容易に行なうことができる。
【００９１】
また、付記に係る発明によれば、非露出面側において、光受信機と電源手段との電源接続をできるので、この接続部が、子供等のいたずらの対象になったり、あるいは、室内の美観を損ねることを防止できる。
【００９２】
また、付記に係る発明によれば、露出面側において、光受信機と電源手段との電源接続をできるので、ユーザが光受信機に電力を容易に供給できる。
【００９３】
また、付記に係る発明によれば、第２の電力線接続手段を商用電源コンセントとして構成したので、光受信ユニットを通常の商用電源コンセントと同様に利用でき、ユーザの利便性を高めることができる。
【符号の説明】
【００９４】
１、２、３Ａ、４Ａ  光受信機
３、４  光受信ユニット
３Ｂ、４Ｂ  電源アダプタ
１０、８０、１００、１１０、１３０  筐体
１１  筐体本体
１１ａ  取り付け溝
１１ｂ  凹部
１２、８１  後面プレート
１３  フロントカバー
１３ｂ〜１３ｅ  孔部
１３ａ  係止爪
１４  電源灯
１５  光入力灯
１６  コネクタフック
１７  取り付けアダプタ
１７ａ  係止ステー
１７ｂ  固定板
１７ｃ  係止爪
１７ｄ、１７ｅ、１２１ｂ、７１ｄ、７２ｂ、１２０ａ、１２１ｂ、１２１ｄ、１２２ｂ  ネジ孔
１７ｆ、７１ｃ、１２１ｃ、１２２ｃ  取り付けネジ
２０  同軸端子
３０、１１１、１１２  電源端子
４０  光コネクタ
４１  フォトダイオード
５０  光電変換回路
６０  回路基板
６１  第１の回路基板
６２  第２の回路基板
６３  対向スペース
７０、１２０  スイッチボックス
７１、１２１  スイッチボックスカバー
７１ａ、７２ａ、７３ａ、１２１ａ、１２３ａ、１２３ｂ  開口部
７２、１２２  化粧プレートベース
７３、１２３  化粧プレート
８１ａ  固定穴
９０  余長処理部
９１  ベース板
９２  巻き取り部
９２ａ  押さえ突起
９３  ケーブル押さえ
９４  固定脚
Ｃ１  電源ケーブル
Ｃ１ａ  電源コネクタ
Ｃ２  光ケーブル
Ｃ３  同軸ケーブル
Ｃ３ａ  同軸コネクタ
【図１】
0005358649.tif 000002
【図２】
0005358649.tif 000003
【図３】
0005358649.tif 000004
【図４】
0005358649.tif 000005
【図５】
0005358649.tif 000006
【図６】
0005358649.tif 000007
【図７】
0005358649.tif 000008
【図８】
0005358649.tif 000009
【図９】
0005358649.tif 000010
【図１０】
0005358649.tif 000011
【図１１】
0005358649.tif 000012
【図１２】
0005358649.tif 000013
【図１３】
0005358649.tif 000014
【図１４】
0005358649.tif 000015
【図１５】
0005358649.tif 000016
【図１６】
0005358649.tif 000017
【図１７】
0005358649.tif 000018
【図１８】
0005358649.tif 000019
【図１９】
0005358649.tif 000020
【図２０】
0005358649.tif 000021